(57)【要約】      （修正有）【課題】既設の巻糸パッケージ支持装置に簡易な部品を追加して、人手による巻糸パッケージ回転作業時の、手や指の負担を軽くする。【解決手段】巻糸パッケージのボビンを懸架する２本の固定支持棒の各々に、支持棒の回りに回転可能なスリーブを挿入するとともに、スリーブ抜け止めキャップを各固定支持棒の先端に脱着可能に取り付ける。【選択図】図３
0003133028.tif 000002
【実用新案登録請求の範囲】
【請求項１】
巻糸パッケージのボビンを挿架するもので、該ボビンと接触するスリーブを少なくとも２本の固定支持棒の各々に回転可能に挿入すると共に、該スリーブの抜け止めキャップを該固定支持棒の先端部に着脱可能に取り付けたことを特徴とする巻糸パッケージ支持装置。
【請求項２】
前記スリーブの内径部に低摩擦部材を圧入した請求項１記載の巻糸パッケージ支持装置。
【請求項３】
前記抜け止めキャップは円筒形部材の円周方向に部分的にスリットを有する請求項１記載の巻糸パッケージ支持装置。
【請求項４】
前記抜け止めキャップは片端面を有する円筒部材からなり、該片端面部に貫通ネジ穴を開けた請求項１記載の巻糸パッケージ支持装置。
【考案の詳細な説明】
【技術分野】
【０００１】
本考案は、延伸仮撚機等の合繊加工糸製造装置に於いて、多数の原料巻糸パッケージを懸架して解じょするための巻糸パッケージ支持装置に関する。
【背景技術】
【０００２】
合繊加工糸製造装置、なかでも延伸仮より機等最新の加工糸製造装置に於いては、いわゆる“トランスファーテール”（原料巻糸パッケージ間の糸の相互移動）を実施するケースが殆どである。
【０００３】
この“トランスファーテール”は図１に示すように原料巻糸パッケージＡとＢを対向して配置し、原料供給中の巻糸パッケージＡの糸がなくなった時に、糸の走行を停止することなく、巻糸パッケージＢから引き続き原糸供給が行われるようにする方法である。このためには、ＡとＢを図のようにその軸心が第一ガイドＧ（解じょガイドとも言う）上で交わるように配置すると共にＡの巻始糸ｔ（テールとも言う）とＢの巻終糸ｈ（ヘッドとも言う）をあらかじめ結んでおく必要がある。糸結び作業は機械化されているが、巻始糸ｔ及び巻終糸ｈを取り出し糸結び機に仕掛けるのは人手作業に頼っている。
【０００４】
この人手作業の中で人が糸たるみを調節するためには、図２に示すように巻糸パッケージのボビン端部を指先でつまんで回転させる必要があり、最近のように巻糸パッケージが重たくなると、作業者の負担になっている。最近の重い巻糸パッケージを懸架する支持装置では、２本の固定支持棒でボビン内面を支持するものが多く、巻糸パッケージを回転させる場合にボビン内面と固定支持棒がすべり摩擦状態になるため、回転抵抗が大きく作業しにくい。
【０００５】
近年において原料巻糸パッケージの重量が大きくなるに従い、固定支持棒を回転可能にする装置が提案されている。（例えば特許文献１、２参照。）これらの提案技術は明細書から明らかなように、１本の固定支持棒を回転可能にするものである。他方、原料巻糸パッケージの重量が大きくなると、その運搬と支持装置への挿入を機械で行うことが多くなっており、これら提案技術では、巻糸パッケージ搬送腕と支持棒との干渉が問題になり実用化の障害となる。
【０００６】
このため、本考案者等は前記特許文献１、２の改良技術として、特許文献３に示す巻糸パッケージ支持装置を提案したが、更なる簡易化、低コスト化の要求があった。
【特許文献１】実開平４−６６１５９号公報
【特許文献２】実開平６−６１８６３号公報
【特許文献３】実用新案登録第３１０７８７２号
【考案の開示】
【考案が解決しようとする課題】
【０００７】
本考案は一連の人手による巻糸パッケージ回転作業をしやすくすることを目的とし、更に従来提案技術よりも簡易でコストが安く、かつ、搬送腕との干渉が起こりにくい構造を提案するものである。特に固定支持棒が２本である巻糸パッケージ支持装置に簡易な部品を付加するだけで、人手による回転作業をしやすくするものである。
【課題を解決するための手段】
【０００８】
本考案の要旨は、巻糸パッケージのボビンを懸架する２本の固定支持棒に、該支持棒の回りに回転可能なスリーブをそれぞれ挿入すると共に、該スリーブの抜け止めキャップを各固定支持棒の先端に取付けた巻糸パッケージ支持装置である。
【０００９】
また望ましくは、前記スリーブと固定支持棒の回転を容易にするために、スリーブの内径部に低摩擦部材を圧入したものである。
【００１０】
また、前記抜け止めキャップは円筒形部材の円周方向の一部にスリットを設けたものを固定支持棒に圧入する構造とするものである。
【００１１】
また、前記抜け止めキャップの端面に該キャップを固定支持棒から必要に応じて取り外すために「抜きネジ穴」を設けたものである。
【考案の効果】
【００１２】
本考案によると、一連の人手による巻糸パッケージ回転作業の際に、手や指の負担を軽くする巻糸パッケージ支持装置が提供される。しかも、本考案により、自動搬送腕との干渉のない
装置が実現でき、更には、既設の２本の固定支持棒を有する巻糸パッケージ支持装置に安価な部品を工場現場で簡単に取付けるだけで目的を達成できる。
【考案を実施するための最良の形態】
【００１３】
以下、図面に基いて説明する。前述の図２は現在広く用いられている巻糸パッケージ支持装置の構造を側面から示す組立図であり、図２ａはその要部を上から示す部分断面図である。図２ｂは図２ａの巻糸を省略した要部を示す正面図である。図２で、２本の固定支持棒１０ａ、１０ｂはブラケット１１圧入され、左方向から巻糸パッケージ１を挿入、懸架できる構造になっている。ブラケット１１は機台に固定された支柱１２に回転可能に組付けられている。図２には該ブラケット１１の上下の位置決め部材１３、１４が示されている。図２ｂから判るように、ボビン２の内径部が２本の固定支持棒と接触して巻糸パッケージ重量Ｗを支持している。この状態でボビンを回転させようとすれば、ボビン内面と固定支持棒の接触部に滑り摩擦が生じることが容易に理解できる。
【実施例】
【００１４】
次に本考案の最良の実施形態を図３に示す。
図３は図２のブラケット１１と固定支持棒１０ａから先を示している。図３にはスリーブ３の断面をしめしている。スリーブ３の内径部には低摩擦部材４ａ、４ｂが圧入されている。スリーブの抜け止めキャップ５も図３に示している。キャップ５は外径をスリーブ３より小さくするために、プラスチック成型品にしたり、薄板の成型品にするが、固定支持棒に圧入しやすいように、円筒部の一部にスリット６を設けるとよい。図示されていないが、スリットの代わりにキャップ５の内側に溝を設けてもよい。さらにキャップ５の脱落防止のために接着剤を併用してもよい。また、スリーブ３を交換する時に、キャップ５を取りはずす必要があるが、この作業を簡単にするために、図示するようにキャップ５の端部に抜きネジ用ネジ穴７を設けておくとよい。
【００１５】
その他、本考案は主旨を逸脱しない範囲で当業者の知識に基き種々改良、修正、変更を加えた態様で実施できるものである。
【産業上の利用可能性】
【００１６】
本考案の巻糸パッケージ支持装置は、延伸仮より装置のみならず、製糸工程や、紡編織工程での巻糸パッケージ解じょクリールに適用できる。
【図面の簡単な説明】
【００１７】
【図１】トランスファーテールの操作を説明する説明図である。
【図２】現在広く用いられている巻糸パッケージ支持装置であり、人がボビン端部を指で摘んで回転する作業を示している。
【図２ａ】図２の要部を上から示す部分断面図である。
【図２ｂ】図２ａの巻糸を省略した要部正面図である。
【図３】本考案の巻糸パッケージ支持装置に用いるスリーブと抜け止めキャップを示す組立図（一部断面図）である。
【符号の説明】
【００１８】
１  巻糸パッケージ
２  ボビン
３  スリーブ
４ａ．４ｂ  低摩擦部材
５  抜け止めキャップ
６  スリット
７  抜きネジ用ネジ穴
１０ａ．１０ｂ  固定支持棒
１１  ブラケット
１２  支柱
１３．１４  上下位置決め部材
【図１】
0003133028.tif 000003
【図２】
0003133028.tif 000004
【図２ａ】
0003133028.tif 000005
【図２ｂ】
0003133028.tif 000006
【図３】
0003133028.tif 000007